(57)【要約】【課題】  容器物性（耐荷重強度）を確保しつつよりデザイン性が高く、さらには、ユーザビリティの向上が図られるプラスチックボトルを実現することが可能な加飾の構成を提案する。【解決手段】  複数の波状突条５ａ，５ａを、上下方向、且つ、周方向Ｒに位相をずらして配置してなる束状波加飾５を有してなる加飾部５０、を有するプラスチックボトル１とする。【選択図】図１
2019156482.tif 000002
【特許請求の範囲】
【請求項１】
複数の波状突条を、上下方向、且つ、周方向に位相をずらして配置してなる束状波加飾を有してなる加飾部、を有するプラスチックボトル。
【請求項２】
前記束状波加飾は、周方向に複数配置され、複数の前記束状波加飾によって一連の帯状加飾が構成される、
ことを特徴とする請求項１に記載のプラスチックボトル。
【請求項３】
上下方向において複数の前記帯状加飾が設けられる、
ことを特徴とする請求項２に記載のプラスチックボトル。
【請求項４】
上下に隣り合う一方の帯状加飾の隣り合う束状波加飾の隣接部の位置に、
上下に隣り合う他方の帯状加飾の束状波加飾の最大幅の箇所を隣接して配置することで、
一方の帯状加飾の隣り合う束状波加飾の間に、他方の帯状加飾の束状波加飾が配置される、
ことを特徴とする請求項請求項３に記載のプラスチックボトル。
【請求項５】
円筒状の口部と、
前記口部と連続する肩部と、
前記肩部と連続する胴部と、
前記胴部と連続する底部と、を順に有し、
前記肩部、
及び／又は、
前記胴部に、
前記束状波加飾が設けられる、
ことを特徴とする請求項１乃至請求項４のいずれか一項に記載のプラスチックボトル。
【請求項６】
前記肩部において前記口部に近い側に配置される前記帯状加飾において、
前記帯状加飾の最も上側に配置される溝を連続してなる輪郭線により、略多角形が構成される、
ことを特徴とする請求項５に記載のプラスチックボトル。
【請求項７】
上下方向に隣り合う前記波状突条の各幅が、前記周方向の同一の位置において、相違する、又は、連続的に変化することとする、
ことを特徴とする請求項１乃至請求項６のいずれか一項に記載のプラスチックボトル。
【発明の詳細な説明】
【技術分野】
【０００１】
本発明は、飲料等が充填されるプラスチックボトルに関し、特に容器物性、デザイン性、ユーザビリティを向上させるための技術に関する。
【背景技術】
【０００２】
近年、樹脂量低減による環境負荷低減やコストダウンを目的とし、プラスチックボトルの軽量化のための取り組みが盛んに行われているが、軽量化が要求されながらも容器物性（耐荷重強度）は確保する必要があり、また、デザイン性やユーザビリティに対する要求も依然として高いものとなっている。
【０００３】
例えば、特許文献１においては、肩部に縦方向の凹リブを設け、胴部に環状の凹リブや略四角錐状の凹部を有する構成を開示している。
また、特許文献２においては、胴下半部に、幅が周期的に変化して波状にうねる複数の周方向凹ビード（凹リブ）を有する構成を開示している。
【先行技術文献】
【特許文献】
【０００４】
【特許文献１】特開２０１７−１１４５４４号公報
【特許文献２】特開平１０−２９６１４号公報
【発明の概要】
【発明が解決しようとする課題】
【０００５】
上述の特許文献に開示されるように、従来のプラスチックボトルにおいては、容器物性（耐荷重強度）を確保することを目的として環状の凹リブを設けることが一般的である。
【０００６】
しかし、従来の環状の凹リブにより形成される外観は、デザイン性に改善の余地があるといえる。
【０００７】
そこで、本発明では、容器物性（耐荷重強度）を確保しつつよりデザイン性が高く、さらには、ユーザビリティの向上が図られるプラスチックボトルを実現することが可能な加飾の構成を提案するものである。
【課題を解決するための手段】
【０００８】
本発明の解決しようとする課題は以上の如くであり、次にこの課題を解決するための手段を説明する。
【０００９】
即ち、本願発明は、
複数の波状突条を、上下方向、且つ、周方向に位相をずらして配置してなる束状波加飾を有してなる加飾部、を有するプラスチックボトルとするものである。
【００１０】
また、好ましくは、
前記束状波加飾は、周方向に複数配置され、複数の前記束状波加飾によって一連の帯状加飾が構成される、こととするものである。
【００１１】
また、好ましくは、
上下方向において複数の前記帯状加飾が設けられる、こととするものである。
【００１２】
また、好ましくは、
上下に隣り合う一方の帯状加飾の隣り合う束状波加飾の隣接部の位置に、
上下に隣り合う他方の帯状加飾の束状波加飾の最大幅の箇所を隣接して配置することで、
一方の帯状加飾の隣り合う束状波加飾の間に、他方の帯状加飾の束状波加飾が配置される、こととするものである。
【００１３】
また、好ましくは、
円筒状の口部と、
前記口部と連続する肩部と、
前記肩部と連続する胴部と、
前記胴部と連続する底部と、を順に有し、
前記肩部、
及び／又は、
前記胴部に、
前記束状波加飾が設けられる、こととするものである。
【００１４】
また、好ましくは、
前記肩部において前記口部に近い側に配置される前記帯状加飾において、
前記帯状加飾の最も上側に配置される溝を連続してなる輪郭線により、略多角形が構成される、こととするものである。
【００１５】
また、好ましくは、
上下方向に隣り合う前記波状突条の各幅が、前記周方向の同一の位置において、相違する、又は、連続的に変化する、こととする、
【発明の効果】
【００１６】
本発明の構成によれば、容器物性（耐荷重強度）を確保しつつよりデザイン性が高く、さらには、ユーザビリティの向上が図られるプラスチックボトルを実現することが可能となる。
【図面の簡単な説明】
【００１７】
【図１】本発明の一実施形態に係るプラスチックボトルの全体側面図である。
【図２】（Ａ）は波状突条について説明する図である。（Ｂ）は束状波加飾について説明する図である。（Ｃ）は波状突条の断面について説明する図である。
【図３】（Ａ）は上下の帯状加飾の配置の例について示す図である。（Ｂ）は上下の帯状加飾の配置の他の例について示す図である。
【図４】（Ａ）はプラスチックボトルの平面図である。（Ｂ）は口部を取り囲む帯状加飾の構成について説明する図である。
【発明を実施するための形態】
【００１８】
図１は、本願発明の一実施形態に係るプラスチックボトルの全体側面図である。なお、以下では説明の便宜のため、図１の紙面において上側を上、下側を下と定義し、位置関係を説明するものとする。
【００１９】
プラスチックボトル１は、
円筒状の口部１０と、
口部１０と連続する肩部２０と、
肩部２０と連続する胴部３０と、
胴部３０と連続する底部４０と、を順に有してなる。
【００２０】
また、底部４０には、口部１０を上に向けてプラスチックボトル１を水平面に置いたときに、水平面に接触する底面４２が形成される。また、底部４０の周面４３から底面４２にかけて連続する複数の溝部４４が、プラスチックボトル１の中心軸Ｃを中心として放射状に設けられている。
【００２１】
なお、本実施例のプラスチックボトル１は、円筒形状の所謂丸型ボトルで構成されるものであるが、水平断面が矩形の所謂角型ボトルについても適用することができる。また、充填物については、日本茶、紅茶、水、コーヒーなど、炭酸を含まない飲料の他、炭酸飲料も当然想定される。
【００２２】
また、肩部２０、胴部３０には、複数の波状突条５ａ，５ａを、上下方向、且つ、周方向Ｒに位相をずらして配置して構成される束状波加飾５を有する加飾部５０が設けられる。
【００２３】
図２（Ａ）〜（Ｃ）は束状波加飾５について説明するものである。本実施例では、各波状突条５ａは、一対の波状の溝５ｂ，５ｂの間に形成される突条により形成されるものであり、上下方向の隣り合う波状突条５ａ，５ａにおいて波状の溝５ｂが共有されることで、波状突条５ａ，５ａが隣接して配置される。
【００２４】
図２（Ａ）では、上側の二つの波状突条５ａ，５ａを代表的に分離して表しており、これら波状突条５ａ，５ａを上下方向に隙間なく配置することによって、図２（Ｂ）に示すように、束状波加飾５が構成されるものである。
【００２５】
図２（Ａ）（Ｂ）に示すように、溝５ｂ，５ｂは、正弦波状をなすものであって、上側のものから下側のものになるにつれて、一側方向（周方向Ｒ）に位相がずれるようになっており、溝５ｂ，５ｂの間に形成される波状突条５ａの位相も一側方向（周方向Ｒ）にずれるように現れる。このような構成により、各波状突条５ａが一側方向に流れるような連続的な動きのある外観デザインを構成することができる。
【００２６】
また、以上の位相のズレにより、最も上側にある溝５ｂと、最も下側にある溝５ｂの間に位相差αが形成される。この位相差αは、例えば、３０度以上７０度以下とすることができる（振幅が最大になる点α１，α２の間の位相差）。
【００２７】
また、最も上側にある溝５ｂと、最も下側にある溝５ｂの間において、最も離れ合う位置の距離が、束状波加飾５の最大幅Ｗｚとして定義される。この最大幅Ｗｚは、例えば、４ｍｍ以上３０ｍｍ以下とすることができる。
【００２８】
図２（Ｂ）に示すように、各溝５ｂは、正弦波とした場合に、約１周期分に想到する長さＬを有する。ここでの長さＬは、プラスチックボトル１の周方向Ｒにおける長さである。
【００２９】
図２（Ａ）（Ｂ）に示すように、各溝５ｂの始点５ｘと終点５ｙは交差するように構成され、複数の波状突条５ａが収束部Ｓにおいて収束し、これにより、波状突条５ａを束ねてなる束状波加飾５が構成される。このような収束部Ｓが形成されるものであれば、各溝５ｂの振幅、長さ（周方向Ｒ）、位相の各要素については、特に限定されるものではない。
【００３０】
図２（Ａ）（Ｃ）に示すように、波状突条５ａは、幅Ｗを有するように現れ、当該幅Ｗは、始点５ｘと終点５ｙに近づくにつれて狭くなる。なお、波状突条５ａの本数については、特に限定されるものではないが、例えば、２本以上１２本以下とすることができる。また、幅Ｗについても、特に限定されるものではないが、０．３ｍｍ以上５ｍｍ以下とすることができる。
【００３１】
図２（Ａ）（Ｂ）に示すように、上下方向に隣り合う各波状突条５ａの各幅Ｗが、周方向Ｒの同一の位置において、相違する、又は、連続的に変化することとしてもよい。即ち、例えば、位置α１の垂直線上において、上から下に行くほど順に各波状突条５ａの幅Ｗが広くなる、或いは、狭くなるというものである。
【００３２】
これにより、一束の束状波加飾５の中において、波状突条５ａが均一な幅ではなく細い幅と太い幅を組み合わせたものとして変化を呈することが可能となり、視覚的に躍動感を表現することができる。
【００３３】
なお、図２（Ａ）（Ｃ）に示すように、以上の説明において、波状突条５ａを「溝５ｂ，５ｂの間に形成される突条」として表現したが、この表現は便宜的なものであり、波状突条５ａは、平坦面ｐから突出する波状の突条と表現することもでき、この場合の突条と平坦面の境界部分が溝５ｂの最も深い部位と表現することもできる。
【００３４】
即ち、図２（Ｃ）の断面模式図に示されるように、平坦面５ｐから波状突条５ａが突出しており、各波状突条５ａの間に溝５ｂが配置される、と表現することもできる。なお、図２（Ｃ）では、波状突条５ａの形状の一例を示すものであり、例えば、溝５ｂの深さ５ｈは、０．１ｍｍ以上０．７ｍｍとすることができ、溝５ｂの角度θは１２０度以上１５４度以下とすることができ、また、各波状突条５ａの幅Ｗは、上述したように１ｍｍ以上５ｍｍ以下とすることができる。
【００３５】
また、本実施例では、図２（Ｂ）に示される束状波加飾５を一単位とし、図３（Ａ）に示すように、複数の束状波加飾５を周方向Ｒに隣接して配置させることとしている。このような構成により、束状波加飾５が周方向Ｒに連続的に現れることで、大きな波のうねりのような印象を与える外観デザインを構成することができる。
【００３６】
同様に、図３（Ａ）に示すように、周方向Ｒに隣接して配置させる束状波加飾５により帯状加飾５Ｚを形成し、さらに、上下方向において隣接して、別の帯状加飾５Ｚを形成することで、複数の帯状加飾５Ｚを配置する構成とすることができる。
【００３７】
同様に、図３（Ａ）に示すように、上下に隣り合う一方の帯状加飾５Ｚの隣り合う束状波加飾５，５の隣接部５ｍの位置に、上下に隣り合う他方の帯状加飾５Ｚの束状波加飾５の最大幅Ｗｚの箇所５ｎを隣接して配置することで、一方の帯状加飾５Ｚの隣り合う束状波加飾５，５の間に、他方の帯状加飾５Ｚの束状波加飾５が配置される構成としている。
【００３８】
また、図３（Ｂ）のように、一方の帯状加飾５Ｚの隣り合う束状波加飾５，５の隣接部の位置と、他方の帯状加飾５Ｚの束状波加飾５，５の隣接部５ｍ，５ｍの位置と、を一致させるように配置される構成としてもよい。
【００３９】
また、図４（Ａ）（Ｂ）の平面図に示すように、本実施例では、口部１０に近い側に配置される帯状加飾５Ｚにおいて、周方向Ｒに４個の束状波加飾５を並設される構成としており、帯状加飾５Ｚの最も上側に配置される溝５ｂを連続してなる輪郭線５Ｑが、円ではなく略四角形状を構成するようになっている。なお、並設させる束状波加飾５の数は、４個とするほか、３個、５個などとしても良く、特に限定されるものではない。
【００４０】
また、図１に示すように、本実施例の肩部２０においては、上下三段の帯状加飾５Ｚが設けられる。このうち、最も下側に配置される帯状加飾５Ｚについては、略上半分の部分のみが加飾として用いられる。このように、帯状加飾５Ｚは、上下方向において、その一部の部位を利用することもできる。
【００４１】
また、図１に示すように、本実施例の胴部３０においては、上下方向において約四等分した部位の最も下側の部位に、上下二段の帯状加飾５Ｚが設けられる。この部位においては、図３（Ａ）の例による加飾の形態を採用するものであるが、図３（Ｂ）の加飾の形態を採用してもよい。
【００４２】
さらに、図１に示すように、本実施例の胴部３０においては、上下二段の帯状加飾５Ｚの間に、断面略Ｖ字状の幅広の溝Ｖｍが形成される構成としている。この幅広の溝Ｖｍの開口幅は、波状突条５ａの幅Ｗ（図２（Ａ）参照）の２倍以上５倍以下とするように広く構成され、溝Ｖを形成する二つの斜面Ｖｓによって、帯状加飾５Ｚの輪郭をよりくっきりと現すとともに、立体感を醸し出すことができるようになっている。
【００４３】
以上のようにして本発明を実施することができる。
即ち、図１乃至図３に示すように、
複数の波状突条５ａ，５ａを、上下方向、且つ、周方向Ｒに位相をずらして配置してなる束状波加飾５を有してなる加飾部５０、を有するプラスチックボトル１とするものである。
【００４４】
これにより、波状突条５ａの凹凸により容器物性（耐荷重強度）が確保されるとともに、各波状突条５ａの位相がずれることで連続的な波の動きを表現することができ、視覚的に躍動感のあるデザイン性の高いプラスチックボトルを実現することができる。また、束状波加飾５の凹凸により、手指の滑り止め効果を発揮させることができ、ユーザビリティの向上（把持のし易さ）を図ることができる。
【００４５】
また、図１乃至図３に示すように、
束状波加飾５は、周方向Ｒに複数配置され、複数の束状波加飾５によって一連の帯状加飾５Ｚが構成される、こととするものである。
【００４６】
これにより、プラスチックボトル１の全周において束状波加飾５を現すことが可能となり、全周において、容器物性（耐荷重強度）の向上や、デザイン性の向上を図ることができる。特に、上下方向の荷重吸収効果を高めることができるとともに、凹み変形後に元の状態に復帰する復元性の向上も図ることができる。
【００４７】
また、図１、図３（Ａ）（Ｂ）に示すように、
上下方向において複数の帯状加飾５Ｚが設けられる、こととするものである。
【００４８】
これにより、上下方向が長い筒状のプラスチックボトルにおいて、上下方向の複数個所に帯状加飾５Ｚが配置されることで、容器物性（耐荷重強度）の向上や、デザイン性の向上を図ることができる。
【００４９】
また、図３（Ａ）に示すように、
上下に隣り合う一方の帯状加飾５Ｚの隣り合う束状波加飾５，５の隣接部の位置に、上下に隣り合う他方の帯状加飾５Ｚの束状波加飾５の最大幅Ｗｚの箇所を隣接して配置することで、一方の帯状加飾５Ｚの隣り合う束状波加飾５，５の間に、他方の帯状加飾５Ｚの束状波加飾５が配置される、ことととするものである。
【００５０】
これにより、上下に隣り合う帯状加飾５Ｚ同士を隣接して配置することが可能となり、より波状突条５ａがより緻密な配置されたデザインを実現することができる。
【００５１】
また、図１に示すように、
円筒状の口部１０と、
口部１０と連続する肩部２０と、
肩部２０と連続する胴部３０と、
胴部３０と連続する底部４０と、を順に有し、
肩部２０、
及び／又は、
胴部３０に、
束状波加飾５が設けられる、こととする。
【００５２】
これにより、プラスチックボトル１を把持する際において、プラスチックボトル１の上下中央から離れた部位に手指が置かれた際においても、手指を束状波加飾５と接触させることで滑り止め効果を発揮することができ、ユーザビリティの向上を図ることができる。
【００５３】
また、図４（Ａ）（Ｂ）に示すように、
肩部２０において口部１０に近い側に配置される帯状加飾５Ｚにおいて、
帯状加飾５Ｚの最も上側に配置される溝５ｂを連続してなる輪郭線５Ｑにより、略多角形が構成される、こととする。
【００５４】
このように、輪郭線５Ｑを略多角形とすることで、積み付け輸送時（プラスチックボトルを立てて箱詰めした箱を、上下に積み上げて搬送するとき）において、輪郭線５Ｑの部位が座屈して口部１０が肩部２０に落ち入るような変形に対する耐性を高めることができる。即ち、輪郭線５Ｑを円とする場合と比較して、輪郭線５Ｑに荷重が作用した際の変形を防ぐことができ、容器物性（耐荷重強度）を向上することができる。
【００５５】
また、図２（Ａ）（Ｂ）に示すように、上下方向に隣り合う各波状突条５ａの各幅Ｗが、周方向Ｒの同一の位置において、相違する、又は、連続的に変化することとする。
【００５６】
これにより、一束の束状波加飾５の中において、波状突条５ａが均一な幅ではなく細い幅と太い幅を組み合わせたものとして変化を呈することが可能となり、視覚的に躍動感を表現することができる。
【符号の説明】
【００５７】
１    プラスチックボトル
５    束状波加飾
５ａ    波状突条
５ｂ    溝
５ｐ    平坦面
５Ｑ    輪郭線
５ｘ    始点
５ｙ    終点
５Ｚ    帯状加飾
１０    口部
２０    肩部
３０    胴部
４０    底部
４２    底面
４３    周面
４５    溝部
５０    加飾部
Ｃ    中心軸
Ｒ    周方向
Ｓ    収束部
Ｖｍ    溝
Ｖｓ    斜面
【図１】
2019156482.tif 000003
【図２】
2019156482.tif 000004
【図３】
2019156482.tif 000005
【図４】
2019156482.tif 000006